(57)【要約】  【課題】肌当接面を面状に構成した立体ギャザー構造に関し、肌当接面全体を肌に密着させるとともに、クッション性を与え肌へのあたりを柔らかくする。  【解決手段】立体ギャザーBSは、基端部から起立する第１壁部21と、この第１壁部21の上端部分から分岐して延在する第２内側壁部22aと、前記第１壁部21の上端部分から分岐して外方側に延在するとともに、相対的に前記第２内側壁部22aの外方側に位置する第２外側壁部22bと、前記第２内側壁部22aの先端部と前記第２外側壁部22bの先端部分とによって支持された肌への当接面状部分23と、前記当接面状部分23にナプキン１の長手方向に沿って配設された複数の弾性部材24,24…と、前記当接面状部分23、前記第２内側壁部22a及び第２外側壁部22bとによって形成されるとともに、前記当接面状部分23の裏面側に位置する中空部Mとから構成される。【選択図】図２
2006345909.tif 000002
【特許請求の範囲】
【請求項１】
透液性トップシートとバックシートとの間に吸収体が介在され、表面側両側部に夫々、立体ギャザーを備えた吸収性物品において、
前記立体ギャザーは、基端部から起立する第１壁部と、この第１壁部の上端部分から分岐して延在する第２内側壁部と、前記第１壁部の上端部分から分岐して外方側に延在するとともに、相対的に前記第２内側壁部の外方側に位置する第２外側壁部と、前記第２内側壁部の先端部と前記第２外側壁部の先端部分とによって支持された肌への当接面状部分と、前記当接面状部分に吸収性物品の長手方向に沿って配設された複数の弾性部材と、前記当接面状部分、前記第２内側壁部及び第２外側壁部とによって形成されるとともに、前記当接面状部分の裏面側に位置する中空部とから構成されていることを特徴とする吸収性物品。
【請求項２】
前記第２内側壁部の壁長より前記第２外側壁部の壁長を長くすることにより、起立状態で前記当接面状部分の内側縁高さ位置よりも当接面状部分の外側縁高さ位置が高くなるようにしてある請求項１記載の吸収性物品。
【請求項３】
前記当接面状部分は、前記第２内側壁部との結合部分より内方側に突出する内側張出部と、前記第２外側壁部との結合部分より外方側に突出する外側張出部とを備えるとともに、前記内側張出部の側縁位置及び前記外側張出部の側縁位置にそれぞれ弾性部材を設けてある請求項１、２いずれかに記載の吸収性物品。
【請求項４】
前記立体ギャザーの外側位置に、第２の立体ギャザーを設け、前記第２の立体ギャザーの起立及び接触によって立体ギャザー当接面状部分の外側部分を起立補助させるようにしてある請求項１〜３いずれかに記載の吸収性物品。
【請求項５】
前記第１壁部および第２外側壁部の一部又は全部に不透水性フィルムを介在させ、前記当接面状部分には不透水性フィルムが介在されていないことを特徴とする請求項１〜４いずれかに記載の吸収性物品。
【請求項６】
前記不透水性フィルムの延在部分が吸収体側縁部分を上面側から覆っている請求項５記載の吸収性物品。
【請求項７】
前記不透水性フィルムの延在部分が吸収体側縁部分を巻き込みながら吸収体裏面側まで延在し前記吸収体側縁部分を覆っている請求項５記載の吸収性物品。
【発明の詳細な説明】
【技術分野】
【０００１】
本発明は、経血やおりものなどを吸収するための生理用ナプキン、パンティライナー、失禁パッド等の吸収性物品に係り、身体への密着性を向上するとともに、クッション性が良好な立体ギャザーを備えた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、体液漏れを防止するための手段が種々講じられている。これら体液漏れ防止手段の一つとして、表面側両側部に横漏れの障壁となる立体ギャザーを形成する技術が存在する。前記立体ギャザーに関しても、肌への密着性を向上させ漏れを確実に防止するために、肌への当接面を面状とした断面Ｔ字状の立体ギャザーが提案されている。
【０００４】
例えば、下記特許文献１では、図１４に示されるように、液透過性の表面層５０と、液不透過性の裏面層５１と、両層間に介在する液保持性の吸収層５２と、該吸収層５２の左右両側縁それぞれの近傍から起立した防漏壁５４とを具備し、該吸収層５２の表面層側に所定形状の防漏溝５５が形成された吸収性物品Ｎにおいて、前記防漏壁５４が、基壁部５６と、該基壁部の上方部から前記吸収性物品の内方及び外方それぞれへ張り出す外方張出部５７及び内方張出部５８とを有し、前記外方張出部５７及び前記内方張出部５８それぞれに、その長さ方向に沿って弾性部材５９を配すると共に、前記外方張出部５７を、前記吸収層５２の上方であって且つ前記防漏溝５５よりも外方に位置させたものが提案されている。
【特許文献１】特開２００２−６５６号公報
【発明の開示】
【発明が解決しようとする課題】
【０００５】
しかしながら、前述した上記特許文献１記載の発明は、前記弾性部材５９に伸縮力が導入された製品状態では、図１５に示されるように、基壁部５６の頂部を起点として内方張出部５７の先端及び外方張出部５８の先端が上方側に持ち上がり、両張出部５７，５８が成す断面形状がＶ字状となる。その結果、肌に対してフィットし難くく隙間が生じ易いとともに、肌へのあたりが強く装着者が違和感を感じ易いなどの問題があった。
【０００６】
そこで本発明の主たる課題は、肌当接面を面状に構成した吸収性物品の立体ギャザー構造に関し、肌当接面全体を肌に対して密着させ隙間を生じさせ難いとともに、クッション性を与え肌へのあたりを柔らかくするとともに、クッション性を付与することで足回りに隙間を生じさせ難い構造の立体ギャザー構造を提供することにある。
【課題を解決するための手段】
【０００７】
前記課題を解決するための請求項１に係る本発明として、透液性トップシートとバックシートとの間に吸収体が介在され、表面側両側部に夫々、立体ギャザーを備えた吸収性物品において、
前記立体ギャザーは、起点基端部から起立する第１壁部と、この第１壁部の上端部分から分岐して延在する第２内側壁部と、前記第１壁部の上端部分から分岐して外方側に延在するとともに、相対的に前記第２内側壁部の外方側に位置する第２外側壁部と、前記第２内側壁部の先端部と前記第２外側壁部の先端部分とによって支持された肌への当接面状部分と、前記当接面状部分に吸収性物品の長手方向に沿って配設された複数の弾性部材と、前記当接面状部分、前記第２内側壁部及び第２外側壁部とによって形成されるとともに、前記当接面状部分の裏面側に位置する中空部とから構成されていることを特徴とする吸収性物品が提供される。
【０００８】
上記請求項１記載の本発明に係る立体ギャザー構造においては、特に肌への当接面状部分が第２内側壁部と第２外側壁部との２点で支持された構造となっているため、従来の所謂Ｔ字断面立体ギャザーのように弾性伸縮力が導入されてＶ字断面となることがなく、当接面状部分の全体が均一に肌に当接するようになるため、隙間が生じ難い構造となる。また、前記当接面状部分の裏面側には、中空部が存在するため肌へのあたりが柔らかくなるとともに、クッション性が向上することにより足回りに隙間を生じさせ難いものとなる。
【０００９】
請求項２に係る本発明として、前記第２内側壁部の壁長より前記第２外側壁部の壁長を長くすることにより、起立状態で前記当接面状部分の内側縁高さ位置よりも当接面状部分の外側縁高さ位置が高くなるようにしてある請求項１記載の吸収性物品が提供される。
【００１０】
上記請求項２記載の発明は、前記第２内側壁部の壁長より前記第２外側壁部の壁長を長くすることにより、第２外側壁部側での自由度が大きくなるため、弾性部材の伸縮力が作用した状態では前記当接面状部分の内側縁高さ位置よりも当接面状部分の外側縁高さ位置が高くなる。従って、装着状態で当接面状部分が外側に倒れることがなくなり、当接面を確実に肌に密着させることができるようになる。
【００１１】
請求項３に係る本発明として、前記当接面状部分は、前記第２内側壁部との結合部分より内方側に突出する内側張出部と、前記第２外側壁部との結合部分より外方側に突出する外側張出部とを備えるとともに、前記内側張出部の側縁位置及び前記外側張出部の側縁位置にそれぞれ弾性部材を設けてある請求項１、２いずれかに記載の吸収性物品が提供される。
【００１２】
上記請求項３記載の発明は、当接面状部分の両側縁部分にそれぞれ張出部を設けるようにし、かつこの張出部の側縁に弾性部材を配置するようにしたものである。従って、当接面状部分の側縁部分が持ち上がり易くなり、当接面状部全体が円弧状断面となるため、肌への密着度が増し漏れが一層防止されるようになる。
【００１３】
請求項４に係る本発明として、前記立体ギャザーの外側位置に、第２の立体ギャザーを設け、前記第２の立体ギャザーの起立及び接触によって立体ギャザー当接面状部分の外側部分を起立補助させるようにしてある請求項１〜３いずれかに記載の吸収性物品が提供される。
【００１４】
上記請求項４記載の発明においては、前記立体ギャザーの外側位置に、第２の立体ギャザーを設け、この第２の立体ギャザーの起立作用及び立体ギャザーとの接触作用によって立体ギャザー当接面状部分の外側部分を起立補助させるようにするものであり、第２の立体ギャザーによる起立補助により立体ギャザー当接面状部分の外側部分がきっちりと持ち上がり、当接面状部分が外側方向に倒れるのを防止することができるとともに、二重の立体ギャザーにより横漏れが一層防止できるようになる。
【００１５】
請求項５に係る本発明として、前記第１壁部および第２外側壁部の一部又は全部に不透水性フィルムを介在させ、前記当接面状部分には不透水性フィルムが介在されていないことを特徴とする請求項１〜４いずれかに記載の吸収性物品が提供される。
【００１６】
上記請求項５記載の発明においては、前記第１壁部および第２外側壁部の一部又は全部に不透水性フィルムを介在させ、前記当接面状部分には不透水性フィルムを介在させないようにするものである。前記第１壁部に配設された不透水性フィルムにより吸収体側部からの浸み出しを防止できるとともに、前記第２外側壁部によって当接面状部分からの浸み出しを防止することができる。また、前記不透水性フィルムは当接面状部分には設けられていないため、肌へのあたりが悪くなることもない。なお、前記不透水性フィルムとしては通気性フィルムを使用するのが望ましい。
【００１７】
請求項６に係る本発明として、前記不透水性フィルムの延在部分が吸収体側縁部分を上面側から覆っている請求項５記載の吸収性物品が提供される。
【００１８】
上記請求項６記載の発明においては、前記不透水性フィルムの延在部分が吸収体側縁部分を上面側から覆っている構造とするものであり、これにより吸収体に一旦吸収された体液が側縁部分から外部に滲み出すのを防止することができる。
【００１９】
請求項７に係る本発明として、前記不透水性フィルムの延在部分が吸収体側縁部分を巻き込みながら吸収体裏面側まで延在し前記吸収体側縁部分を覆っている請求項５記載の吸収性物品が提供される。
【００２０】
上記請求項７記載の発明においては、前記不透水性フィルムの延在部分が吸収体側縁部分を巻き込むように覆っている構造とするものであり、これにより吸収体に一旦吸収された体液が側縁部分から外部に滲み出すのを防止することができる。
【発明の効果】
【００２１】
以上詳説のとおり本発明によれば、肌当接面を面状に構成した吸収性物品の立体ギャザー構造に関し、肌当接面全体を肌に対して密着させることにより隙間を生じさせ難いものとなる。また、当接面状部分の裏面側に中空部を設けることによりクッション性が良好となり肌へのあたりが柔らかくなるとともに、クッション性を上げることで足回りに隙間を生じさせ難いものとなる。
【発明を実施するための最良の形態】
【００２２】
以下、本発明の実施の形態について図面を参照しながら詳述する。
【００２３】
〔生理用ナプキン１の基本構造〕
図１は本発明の第１形態例に係る生理用ナプキン１の展開図であり、図２は図１のII−II線矢視図、図３は図１のIII−III線矢視図である。
【００２４】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４、６と、この吸収体４の形状保持および拡散性向上のために前記吸収体４を囲繞するクレープ紙５と、前記吸収体４の略側縁部を起立基端とし、かつ少なくとも体液排出部を含むように前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２５】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００２６】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２７】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のためにクレープ紙５によって囲繞するのが望ましい。
【００２８】
前記吸収体４の使用面側には、幅方向中央部にナプキン長手方向に細長く、かつ周方向に閉合しているエンボス８によって区画される領域に、使用面側に高い吸収体の中高部６が形成されている。この中高部６の厚みは、厚くし過ぎると吸収体４の剛性が上がり身体への密着性が低下するため３〜２０mm、好ましくは５〜１５mmとするのが好ましい。また、使用面側には前記エンボス８とともに、エンボス９，１０、１１がそれぞれ形成されている。これら各エンボス８〜１１については更に詳しく後述する。
【００２９】
一方、前記透液性トップシート３の幅寸法は、図示例では、図２および図３の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３０】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１２…，１３…を備え、図１３に示されるように、ショーツ３０に対する装着時に、前記ウイング状フラップＷ、Ｗを折返し線ＲＬ位置にて反対側に折り返し、ショーツのクロッチ部分に巻き付けて止着するようになっている。
【００３１】
一方、前記サイド不織布７によって形成される立体ギャザーＢＳは、図２に示されるように、基端部から起立する第１壁部２１と、この第１壁部２１の上端部分から分岐して延在する第２内側壁部２２ａと、前記第１壁部２１の上端部分から分岐して外方側に延在するとともに、相対的に前記第２内側壁部２２ａの外方側に位置する第２外側壁部２２ｂと、前記第２内側壁部２２ａの先端部と前記第２外側壁部２２ｂの先端部分とによって支持された肌への当接面状部分２３と、前記当接面状部分２３にナプキン１の長手方向に沿って配設された複数の弾性部材２４、２４…と、前記当接面状部分２３、前記第２内側壁部２２ａ及び第２外側壁部２２ｂとによって形成されるとともに、前記当接面状部分２３の裏面側に位置する中空部Ｍとから構成された立体ギャザーである。前記立体ギャザーＢＳは、ナプキン１の前後端部では図３に示されるように、折り畳んで積層された状態で吸収体４側に接着される。
【００３２】
前記立体ギャザーＢＳの構造を図４に基づき更に詳述する。なお、図中×印は接着部位を示す符合である。また、内方側とはナプキン１の中心側をいい、外方側とはナプキン１の外側をいう。
【００３３】
同図４に示されるように、立体ギャザーＢＳは、折り畳まれた２層のサイド不織布７によって構成されている。図４(A)に示されるように、サイド不織布７は、立体ギャザー形成部分が第１積層部Ｓ１、第２積層部Ｓ２、第３積層部Ｓ３、第４積層部Ｓ４の４層構造で折り畳まれている。ここで、第３積層部Ｓ３、第４積層部Ｓ４の内方側が若干突出した状態となっている。また、前記第１積層部Ｓ１及び第２積層部Ｓ２のシート内部には不透水性フィルム２５が介在されているとともに、前記第４積層部Ｓ４にはナプキン１の長手方向に沿って複数の弾性部材２４，２４…、具体的には両端部及び中間部に計５本の弾性部材２４，２４…が配設されている。
【００３４】
二層のサイド不織布７の貼り合わせについては、第３積層部Ｓ３部位において、右端側の一部Ａのみが接着剤によって貼り合わされ、その他の部分Ｂは非接着とされる。また、第１積層部Ｓ１〜第４積層部Ｓ４の境界面の接合については、第１積層部Ｓ１と第２積層部Ｓ２との境界面は非接着とし、第２積層部Ｓ２と第３積層部Ｓ３との境界面は内方端の一部を除き接着とし、第３積層部Ｓ３と第４積層部Ｓ４との境界面は、外方側の一部を除き接着するようにしている。
【００３５】
従って、前記弾性部材２４，２４…に伸縮力が導入されると、図４(B)に示されるように、第４積層部Ｓ４及び第３積層部Ｓ３の上層側シート部分が一体となって持ち上がるとともに、図４(C)に示されるように、第１積層部Ｓ１と第２積層部Ｓ２との内側折曲げ部分が起立する。
【００３６】
この図４(C)の状態で、第３積層部Ｓ３の下層シート及び第２積層部Ｓ２から上方側に離間し持ち上がった第４積層部Ｓ４及び第３積層部Ｓ３の上層側シート部分が当接面状部分２３の構成部となり、第３積層部Ｓ３の内側非接着シート部分（単層）が第２内側壁部２２ａの構成部となり、第３積層部Ｓ３の外側上層非接着シート部分（単層）及び第２積層部Ｓ２の外側部分が第２外側壁部２２ｂの構成部となり、更に第１積層部Ｓ１の内側部分と第２積層部Ｓ２の内側部分の起立部分が第１壁部２１の構成部となる。
【００３７】
さらに、前記第２内側壁部２２ａの壁長より前記第２外側壁部２２ｂの壁長が長くなっているため、第２外側壁部２２ｂ側の方が自由度が大きいため弾性部材２４，２４…による起立程度が大きくなるため、図４(D)に示されるように、起立状態では前記当接面状部分２３の内側縁高さ位置よりも当接面状部分の外側縁高さ位置が高くなっている。
【００３８】
同図４(D)から分かるように、前記当接面状部分２３は、前記第２内側壁部２２ａとの結合部分より内方側に突出する内側張出部２３ａと、前記第２外側壁部２２ｂとの結合部分より外方側に突出する外側張出部２３ｂとが形成されるとともに、当接面状部分２３の両端部に配置された弾性部材２４，２４の伸縮力によって両側縁部が上方側に持ち上がり、当接面状部分２３は略円弧状の断面形状を成すようになっている。また、前記第１壁部２１及び第２外側壁部２２ｂの一部（底面部分）に介在されている不透水性フィルム２５によって体液の浸み出しが防止される。具体的には図５に示されるように、前記不透水性フィルム２５の延在部分が吸収体４の側縁部分を上面側から覆っている形態では、当接面状部分２３を通過した体液が不透水性フィルム２５によってブロックされるとともに、表面シート３の上面を流下する体液及び吸収体４に吸収された体液の側縁部からの浸み出しが前記第１壁部２１に介在された不透水性フィルム２５によってブロックされるようになる。なお、前記不透水性フィルム２５は、図６に示されるように、吸収体４の側縁部分を巻き込みながら吸収体４の裏面側まで延在し前記吸収体側縁部分を覆うように配置してもよい。この場合の効果も同様である。
【００３９】
前記立体ギャザーＢＳの外側には、図７に示されるように、第２の立体ギャザーＢＳ２を設けるようにしてもよい。この第２の立体ギャザーＢＳ２は、サイド不織布７から延在した二重シート部分によって構成され、その内部に適宜の本数の弾性部材２６，２６…が配設されることにより、その伸縮力によって起立させるようにしたものであり、立体ギャザーＢＳに近接して配置することにより、起立時に当接面状部分２３の外側部分と接触し起立を補助するようになっている。
【００４０】
〔エンボス構造〕
本生理用ナプキン１においては、詳細には図８に示されるように、幅方向中央部に使用面側に高い吸収体の中高部６を有するとともに、この中高部６を囲むように、ナプキン１の長手方向に細長いエンボス８が形成されている。このエンボス８は、前部側から順に、前端部エンボス８ａ、縮小形状エンボス８ｂ、第１の膨出形状エンボス８ｃ、中間弧状エンボス８ｄ、第２の膨出形状エンボス８ｅ、後部側エンボス８ｆから構成されている。これら各エンボスは分断することなく連続的に形成され、全体として周方向に閉合している。
【００４１】
前記前端部エンボス８ａは、略半円弧状に形成されたエンボスであり、中高部６の両側に夫々形成された略長手方向に沿う各左右一対のエンボスをナプキン前端部において曲線ラインで結合するエンボスである。
【００４２】
前記縮小形状エンボス８ｂは、前記前端部エンボス８ａに連続して中高部６の両側に、ナプキン１の長手方向に延長するように形成された左右一対のエンボスラインであり、ほぼ大腿部の前側に位置するとともに、図示の如く、エンボス離間幅の縮小領域を形成するように、両側のエンボスラインがそれぞれ、ナプキン１の外方側に曲率中心を有する曲線によって形成されている。
【００４３】
前記第１の膨出形状エンボス８ｃは、前記縮小形状エンボス８ｂに連続して中高部６の両側に、ほぼナプキン１の長手方向に延長するように形成された左右一対のエンボスラインであり、ほぼ大腿部の後側に位置するとともに、エンボス離間幅の拡大領域を形成するように、両側のエンボスラインがそれぞれ、ナプキン１の中心側に曲率中心を有する曲線によって形成されている。
【００４４】
前記中間弧状エンボス８ｄは、前記第１の膨出形状エンボス８ｃに連続して中高部６の両側に、ほぼナプキン１の長手方向に延長するように形成された左右一対のエンボスラインであり、詳細には図９に示されるように、曲率中心の位置が反転する変曲点を境界として、両側のエンボスラインがそれぞれ、ナプキン１の外方側に曲率中心を有する曲線によってごく短い区間で形成されている。
【００４５】
前記第２の膨出形状エンボス８ｅは、前記中間弧状エンボス８ｄに連続して中高部６の両側に、ほぼナプキン１の長手方向に延長するように形成された左右一対のエンボスラインであり、詳細には図９に示されるように、曲率中心の位置が反転する変曲点を境界として、両側のエンボスラインがそれぞれ、ナプキン１の中心側に曲率中心を有する曲線によって形成されている。この第２の膨出形状エンボス８ｅは前記第１の膨出形状エンボス８ｃと比較すると、相対的に短い区間幅で形成されている。
【００４６】
前記後部側エンボス８ｆは、前記第２の膨出形状エンボス８ｅに連続して中高部６の両側に、ほぼナプキン１の長手方向に延長するように形成された左右一対のエンボスラインであり、図示例では僅かづつエンボスの離間幅を漸次狭めるように後部側まで延長され、後部側において円弧状の曲線エンボスによって両側のエンボスが結合されている。この後部側エンボス８ｆの後部側寄りの中間位置には、エンボス離間幅を拡大領域を形成するように、それぞれのエンボスがナプキン１の中心側に曲率中心を有する曲線によって第３の膨出形状エンボス８ｇが形成されている。
【００４７】
前記後部側エンボス８ｆの外側には、該後部側エンボス８ｆと間を空けてナプキン１の長手方向に延長される第２の後部側エンボス１０，１０が形成されている。図示例ではこの第２の後部側エンボス１０は、それぞれナプキン１の外側に曲率中心を有する弧状曲線とされている。
【００４８】
また、前記前端部エンボス８ａの前側には、間を空けて略傘形状の前端独立エンボス９が形成されているとともに、前記後部側エンボス８ｆの後側には、間を開けて略逆傘形状の後端独立エンボス１１が形成されている。
【００４９】
以上のように形成される各種エンボス８〜１１によれば、次のような効果が得られる。
【００５０】
先ず、前記第１の膨出形状エンボス８ｃ、中間弧状エンボス８ｄ及び第２の膨出形状エンボス８ｅの形成領域においては、詳細には図９に示されるように、前記各膨出形状エンボス８ｃ、８ｅの形成領域は、外側に膨出するエンボスラインによってナプキン幅方向のラインを可撓軸（折れ線）として折り曲がりづらい領域となっているが、これら膨出形状エンボス８ｃ、８ｅによって挟まれた中間弧状エンボス８ｄはエンボス曲線が反転する領域であるため、それぞれの膨出形状エンボス８ｃ、８ｅの歪みの抑制力が開放されるため、相対的にナプキン幅方向のラインＸ１−Ｘ１を可撓軸として折り曲がり易くなっている。
【００５１】
一方、ナプキン１が図１３に示されるように、ショーツ３０に装着されたとすると、前記縮小形状エンボス８ｂ、第１の膨出形状エンボス８ｃの領域では、大腿部からの内側方向に向けて圧縮力を受けることになるとともに、この圧縮力は吸収体４を幅方向に圧縮すると同時に、ナプキン長手方向に沿って形成されたエンボス８によって力が伝達され、前部側及び後部側にはそれぞれ内方側に向かう作用力Ｆ１、Ｆ２が作用するようになる。さらに、ショーツ３０のクロッチ部分が身体側に引き上げられることによってナプキン１には縦方向中心線Ｙ−Ｙに沿って股間部に押し付けるような押圧力を受けることになる。
【００５２】
以上のような作用力を受けることによって、Ｚ１領域においては、排血口に相当する前記第１の膨出形状エンボス８ｃ部位に第１の隆起部Ｒ１が形成され、この隆起部Ｒ１が排血口付近に密着することにより経血等を吸収することができる。また、膣口から後方側の肛門付近にかけての会陰部に相当する前記第２の膨出形状エンボス８ｅ部位には、Ｘ１−Ｘ１可撓軸が形成される中間弧状エンボス８ｄを介して第２の隆起部Ｒ２が形成され、この隆起部Ｒ２が会陰部に密着することにより排血口付近で吸収できなかった経血等を確実に吸収し、体液の後側への伝い漏れを確実に防止できるようになる。
【００５３】
すなわち、図９(B)に示されるように、中間弧状エンボス８ｄ領域は隆起方向の歪みが開放されるとともに、前記Ｘ１−Ｘ１可撓軸のために、その前後に位置する第１の膨出形状エンボス８ｃ領域、及び第２の膨出形状エンボス８ｅ領域には２つの山が連なるように、隆起部Ｒ１、Ｒ２が形成されるようになり、前記隆起部Ｒ１が排血口付近に密着し、前記隆起部Ｒ２が会陰部付近に密着することで経血等の伝い漏れを確実に防止できるようになる。なお、前記隆起部Ｒ２は膨出形状エンボス８ｅの形成規模に比例して、前記隆起部Ｒ１よりも小さく形成される。
【００５４】
一方、前記後部側エンボス８ｆ領域においては、中高部６の両側に夫々、ナプキン１の長手方向に沿って前記後部側エンボス８ｆの他に、第２の後部側エンボス１０が形成され、これら計４条のエンボスが夫々可撓軸を形成するため、Ｘ２−Ｘ２に沿う方向の撓み性が向上し、ヒップの谷間部分に対するフィット性が増すようになる。
【００５５】
更に、前記後部側エンボス８ｆの後部側寄り位置に形成された第３の膨出形状エンボス８ｇは、変曲点位置に対応する横断線Ｘ３−Ｘ３、Ｘ４−Ｘ４それぞれの位置で折れ曲がり易くなっているとともに、各変曲点位置でナプキンの縦方向線Ｙ−Ｙ方向の歪みが分断されるため、領域Ｚ２が盛り上がるようにヒップの谷間にフィットするようになる。
【００５６】
他方、前記ナプキン１の最前端に形成された前記略傘状の前端独立エンボス９は、これが可撓軸となってナプキン１の前端部を折れ曲がり易くし、また後方側に形成された前記略逆傘形状の後端独立エンボス１１は、これが可撓軸となって左右の第２ウイング状フラップＷＢ、ＷＢを折れ曲がり易くする。
【００５７】
ところで、ナプキン１において、排血口位置は一般的にはウイングフラップＷ、Ｗ位置の対応箇所として定まるものであるが、例えば図１０に示されるように、エンボス８の縮小形状エンボス８ｂ領域が前記ウイングフラップＷ、Ｗに対応させる位置になるように、各種エンボス８〜１１を相対的に下側にずらして形成してもよい。
【００５８】
（その他の形態例）
(1)前記第１の膨出形状エンボス８ｃ領域と、第２の膨出形状エンボス８ｅ領域との間に形成される可撓軸Ｘ１−Ｘ１位置でナプキン１を折れ曲がり易くするため、ナプキン１の略幅方向に沿う補助エンボスを付与するようにしてもよい。図１１(A)は前記補助エンボスとして、幅方向中央部に巾方向に配向された弧状エンボス１４を形成した例であり、図１１(B)は両側のエンボスを繋ぐように幅方向に弧状エンボス１５を形成した例である。
(2)上記形態例では、第２の後部側エンボス１０，１０を夫々独立的に形成したが、図１１(C)に示されるように、前記第２の後部側エンボス１０，１０と後端独立エンボス１１とを連続させ、略横Ｕ字状の連続エンボス１６を形成するようにしてもよい。
(3)さらに、図１２に示されるように、排血部位を含む領域Ｙ１、会陰部対応部位を含む領域Ｙ２及び第３の膨出形状エンボス８ｇを含む領域Ｙ３の中高部６の表面に、小さな窪み状のドッドエンボス１８．１８…を多数形成することにより、経血等の吸収性を向上させるようにするのが望ましい。同図の例では、可撓軸Ｘ１−Ｘ１の隣接位置、及び第３の膨出形状エンボス８ｇ部位のそれぞれに対して、幅方向中央部に巾方向に配向された弧状エンボス１４、１７を形成している。
(4)上記形態例では、エンボス８は左右一対のエンボスラインがナプキンの前端部と後端部で結合され、全体として閉合形状を成しているが、左右一対のエンボスラインを前端部及び／又は後端部で結合しない態様で形成してもよい。
【図面の簡単な説明】
【００５９】
【図１】本発明の生理用ナプキン１の展開図である。
【図２】その横断面図（図１のII−II線矢視図）である。
【図３】その横断面図（図１のIII−III線矢視図）である。
【図４】立体ギャザーＢＳの形成構造例を示す模式図(A)〜(D)である。
【図５】立体ギャザーＢＳの横断面図である。
【図６】変形例に係る立体ギャザーＢＳの横断面図である。
【図７】他の変形例に係る立体ギャザーＢＳの横断面図である。
【図８】エンボス８〜１１の説明図である。
【図９】(A)はその要部拡大図であり、(B)はB-B線矢視図である。
【図１０】エンボス８〜１１の位置を下側にずらした生理用ナプキン１の展開図である。
【図１１】(A)〜(C)はそれぞれエンボスの変形例を示す図である。
【図１２】その他のエンボスの形成態様を示す展開図である。
【図１３】ナプキンの装着状態を示す斜視図である。
【図１４】従来のＴ字状立体ギャザーを示す断面図である。
【図１５】その実際の起立状態を示す断面図である。
【符号の説明】
【００６０】
１…生理用ナプキン、２…不透液性バックシート、３…透液性トップシート、４…吸収体、５…クレープ紙、６…中高部、７…サイド不織布、８…エンボス、８ａ…前端部エンボス、８ｂ…縮小形状エンボス、８ｃ…第１の膨出形状エンボス、８ｄ…中間弧状エンボス、８ｅ…第２の膨出形状エンボス、８ｆ…後部側エンボス、８ｇ…第３の膨出形状エンボス、９…前端独立エンボス、１０…第２の後部側エンボス、１１…後端独立エンボス、２１…第１壁部、２２ａ…第２内側壁部、２２ｂ…第２外側壁部、２３…当接面状部分、２４…弾性部材、２５…不透水性フィルム、ＢＳ…立体ギャザー、Ｗ…ウイング状フラップ、ＷＢ…臀部側ウイング状フラップ
【図１】
2006345909.tif 000003
【図２】
2006345909.tif 000004
【図３】
2006345909.tif 000005
【図４】
2006345909.tif 000006
【図５】
2006345909.tif 000007
【図６】
2006345909.tif 000008
【図７】
2006345909.tif 000009
【図８】
2006345909.tif 000010
【図９】
2006345909.tif 000011
【図１０】
2006345909.tif 000012
【図１１】
2006345909.tif 000013
【図１２】
2006345909.tif 000014
【図１３】
2006345909.tif 000015
【図１４】
2006345909.tif 000016
【図１５】
2006345909.tif 000017